(57)【要約】【課題】イーラーニングシステムを用いて学習した教材に関する学習者の学習成果を、その教材に関連した学習者の行動に基づいて判定することができる学習成果判定サーバと方法並びに学習成果判定プログラムを得る。【解決手段】装置（５０）の操作方法を学習するための教材に対する学習者の理解度（学習成果）を、学習者が操作した装置（５０）の作動状況に応じて判定する手段（ＤＢ１，ＤＢ２，ＤＢ３，ＤＢ４，ＤＢ５，ＤＢ６，１１，１２，１３，１４，１５，１６）を有してなる。【選択図】図１
2007219335.tif 000002
【特許請求の範囲】
【請求項１】
学習者の端末と、この学習者が操作する装置と、通信ネットワークを介して接続したサーバであって、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、上記学習者の上記教材の理解度を示す判定情報と、を関連付けて記憶するための第３記憶部と、
上記装置の装置ＩＤと、この装置の作動状況を示す作動情報ごとの判定情報と、を関連付けて記憶している第４記憶部と、
上記学習者が上記装置を操作したときに、この操作に伴う装置の作動情報と、上記学習者の学習者ＩＤと、上記装置の装置ＩＤと、を含む操作情報を、上記装置から受信する手段と、
上記受信した操作情報に含まれる装置ＩＤと作動情報とに関連付けて記憶されている判定情報を上記第４記憶部から読み出す手段と、
上記読み出した判定情報を、上記操作情報に含まれる学習者ＩＤと、上記操作情報に含まれる装置ＩＤに関連付けて上記第２記憶部に記憶されている教材ＩＤと、に関連付けて上記第３記憶部に記憶する手段と、
上記学習者の学習者ＩＤに関連付けて記憶されている教材ＩＤと判定情報とを上記第３記憶部から読み出して上記学習者の端末に送信する手段と、
を有してなることを特徴とする学習成果判定サーバ。
【請求項２】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記操作情報に含まれる学習者ＩＤに関連付けて記憶されている上記教材ＩＤと判定情報とを上記第３記憶部から削除する手段と、
をさらに備えた請求項１記載の学習成果判定サーバ。
【請求項３】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を学習者の端末に送信する手段と、
をさらに備えた請求項１記載の学習成果判定サーバ。
【請求項４】
装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を学習者の端末に送信する手段と、
をさらに備えた請求項１記載の学習成果判定サーバ。
【請求項５】
装置はディスプレイを具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を上記装置のディスプレイに表示させる手段と、
をさらに備えた請求項１記載の学習成果判定サーバ。
【請求項６】
装置はディスプレイを具備し、
上記装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を上記装置のディスプレイに表示させる手段と、
をさらに備えた請求項１記載の学習成果判定サーバ。
【請求項７】
装置は報知手段を具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記報知手段を作動させるための報知信号を上記装置に送信する手段と、
をさらに備えた請求項１記載の学習成果判定サーバ。
【請求項８】
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記装置の作動を制御するための作動制御信号を上記装置に送信する手段と、
をさらに備えた請求項１記載の学習成果判定サーバ。
【請求項９】
装置とは別の第２装置と通信ネットワークを介して接続し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記第２装置の作動を制御するための作動制御信号を上記第２装置に送信する手段と、
をさらに備えた請求項１記載の学習成果判定サーバ。
【請求項１０】
装置の操作方法を学習するための教材の理解度の合格基準を示す及第値情報は、この教材の教材ＩＤに関連付けて第５記憶部に記憶されている請求項２乃至９のいずれかに記載の学習成果判定サーバ。
【請求項１１】
装置の操作方法を学習するための教材の理解度の合格基準を示す及第値情報は、この装置の装置ＩＤに関連付けて第５記憶部に記憶されている請求項２乃至９のいずれかに記載の学習成果判定サーバ。
【請求項１２】
検索者の端末と通信ネットワークを介して接続し、
学習者ＩＤを上記検索者の端末から受信する手段と、
上記受信した学習者ＩＤに関連付けて記憶されている教材ＩＤと判定情報とを上記第３記憶部から読み出して上記検索者の端末に送信する手段と、
をさらに備えた請求項１記載の学習成果判定サーバ。
【請求項１３】
操作情報を装置から受信したとき、この操作情報に含まれる学習者ＩＤと、この操作情報に含まれる装置ＩＤに関連付けて第２記憶部に記憶されている教材ＩＤと、が第３記憶部に関連付けて記憶されているか否かを判定する手段、をさらに備え、
上記判定の結果、上記学習者ＩＤと教材ＩＤとが第３記憶部に関連付けて記憶されていると判定されたときにのみ、第４記憶部から判定情報を読み出して上記第３記憶部に記憶する請求項１記載の学習成果判定サーバ。
【請求項１４】
コンピュータを、請求項１乃至１３のいずれかに記載の学習成果判定サーバとして機能させることを特徴とする学習成果判定プログラム。
【請求項１５】
学習者の端末と、この学習者が操作する装置と、通信ネットワークを介して接続し、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、上記学習者の上記教材の理解度を示す判定情報と、を関連付けて記憶するための第３記憶部と、
上記装置の装置ＩＤと、この装置の作動情報ごとの判定情報と、を関連付けて記憶している第４記憶部と、
を備えたサーバにより実行される方法であって、
上記サーバが、
上記学習者が上記装置を操作したときに、この操作に伴う装置の作動情報と、上記学習者の学習者ＩＤと、上記装置の装置ＩＤと、を含む操作情報を、上記装置から受信するステップと、
上記受信した装置ＩＤと作動情報とに関連付けて記憶されている判定情報を上記第４記憶部から読み出すステップと、
上記読み出した判定情報を、上記操作情報に含まれる学習者ＩＤと、上記操作情報に含まれる装置ＩＤに関連付けて上記第２記憶部に記憶されている教材ＩＤと、に関連付けて上記第３記憶部に記憶するステップと、
上記学習者の学習者ＩＤを上記学習者の端末から受信するステップと、
上記受信した学習者ＩＤに関連付けて記憶されている教材ＩＤと判定情報とを上記第３記憶部から読み出して上記学習者の端末に送信するステップと、
を実行することを特徴とする学習成果判定サーバ。
【発明の詳細な説明】
【技術分野】
【０００１】
本発明は、学習者の学習成果を判定する技術、より具体的には、学習者が学習済の教材をどの程度理解しているかを、その教材に関連した学習者の行動に基づいて判定する技術に関するものである。
【背景技術】
【０００２】
近年、時間や場所を問わず音声や動画を使った学習を効果的に行うことができることから、インターネットなどのネットワークを介して学習者の端末装置と学習教材を提供するサーバとを接続し、所望の学習を行なうイーラーニングシステムが盛んに行われている。
【０００３】
これまでにも、イーラーニングシステムに関する提案がなされている（たとえば、特許文献１，２参照）。
【０００４】
しかしながら、従来のイーラーニングシステムは、学習者が学習した教材をどの程度理解しているかは、その教材に関する演習問題を学習者に解かせて、その正解率などから判定していた。したがって、演習問題の正解率が高ければ、教材の理解度は高いと判定されることになる。
しかし、たとえば、自動車の運転技術を学習する場合、単に、教材を学習して演習問題を解くことができたとしても、自動車の運転ができるとは限らない。すなわち、「知っていること」と「できること」は異なるのである。
【特許文献１】特開２０００−２６７５５４号公報
【特許文献２】特開平１１−２４９５４０号公報
【発明の開示】
【発明が解決しようとする課題】
【０００５】
本発明は以上のような従来の実情に鑑みてなされたもので、イーラーニングシステムを用いて学習した教材に関する学習者の学習成果を、その教材に関連した学習者の行動に基づいて判定することができる学習成果判定サーバと方法並びに学習成果判定プログラムを提供することを目的とする。
【課題を解決するための手段】
【０００６】
本発明にかかる学習成果判定サーバは、学習者の端末と、この学習者が操作する装置と、通信ネットワークを介して接続したサーバであって、以下の手段を有してなることを特徴とする。
【０００７】
（１）装置の操作方法を学習するための教材と、この教材を特定する教材ＩＤと、を関連付けて記憶している第１記憶部と、装置を特定する装置ＩＤと、教材の教材ＩＤと、を関連付けて記憶している第２記憶部と、第１記憶部から教材を読み出して学習者の端末に送信する手段と、送信した教材の教材ＩＤと、学習者を特定する学習者ＩＤと、学習者の教材の理解度を示す判定情報と、を関連付けて記憶するための第３記憶部と、装置の装置ＩＤと、この装置の作動状況を示す作動情報ごとの判定情報と、を関連付けて記憶している第４記憶部と、学習者が装置を操作したときに、この操作に伴う装置の作動情報と、学習者の学習者ＩＤと、装置の装置ＩＤと、を含む操作情報を、装置から受信する手段と、受信した操作情報に含まれる装置ＩＤと作動情報とに関連付けて記憶されている判定情報を第４記憶部から読み出す手段と、読み出した判定情報を、操作情報に含まれる学習者ＩＤと、操作情報に含まれる装置ＩＤに関連付けて第２記憶部に記憶されている教材ＩＤと、に関連付けて第３記憶部に記憶する手段と、学習者の学習者ＩＤを学習者の端末から受信して、この学習者ＩＤに関連付けて記憶されている教材ＩＤと判定情報とを第３記憶部から読み出して学習者の端末に送信する手段と、を有してなる。
【０００８】
（２）装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、操作情報に含まれる学習者ＩＤに関連付けて記憶されている教材ＩＤと判定情報とを第３記憶部から削除する手段と、さらに備えている。
【０００９】
（３）装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、教材ＩＤに関連付けて第１記憶部に記憶されている教材を学習者の端末に送信する手段と、をさらに備えている。
【００１０】
（４）装置の操作方法を学習するための教材の理解度の合格基準を示す及第値情報を記憶している第５記憶部と、教材の教材ＩＤと、この教材に関連した演習問題と、を関連付けて記憶している第６記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、教材ＩＤに関連付けて第６記憶部に記憶されている演習問題を学習者の端末に送信する手段と、さらに備えている。
【００１１】
（５）装置はディスプレイを具備し、装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、教材ＩＤに関連付けて第１記憶部に記憶されている教材を装置のディスプレイに表示させる手段と、をさらに備えている。
【００１２】
（６）装置はディスプレイを具備し、装置の操作方法を学習するための教材の理解度の合格基準を示す及第値情報を記憶している第５記憶部と、教材の教材ＩＤと、この教材に関連した演習問題と、を関連付けて記憶している第６記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、教材ＩＤに関連付けて第６記憶部に記憶されている演習問題を装置のディスプレイに表示させる手段と、をさらに備えている。
【００１３】
（７）装置は報知手段を具備し、装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、報知手段を作動させるための報知信号を装置に送信する手段と、をさらに備えている。
【００１４】
（８）装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、装置の作動を制御するための作動制御信号を装置に送信する手段と、をさらに備えている。
【００１５】
（９）装置とは別の第２装置と通信ネットワークを介して接続し、装置の操作方法を学習するための教材の理解度の合格基準を示す及第値情報を記憶している第５記憶部と、装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と第５記憶部に記憶されている及第値情報とを比較する手段と、比較の結果、判定情報が及第値情報を満たしていないと判定されたとき、第２装置の作動を制御するための作動制御信号を第２装置に送信する手段と、をさらに備えている。
【００１６】
（１０）検索者の端末と通信ネットワークを介して接続し、学習者ＩＤを検索者の端末から受信する手段と、受信した学習者ＩＤに関連付けて記憶されている教材ＩＤと判定情報とを第３記憶部から読み出して検索者の端末に送信する手段と、をさらに備えている。
【００１７】
（１１）操作情報を装置から受信したとき、この操作情報に含まれる学習者ＩＤと、この操作情報に含まれる装置ＩＤに関連付けて第２記憶部に記憶されている教材ＩＤと、が第３記憶部に関連付けて記憶されているか否かを判定する手段、をさらに備え、判定の結果、学習者ＩＤと教材ＩＤとが第３記憶部に関連付けて記憶されていると判定されたときにのみ、第４記憶部から判定情報を読み出して第３記憶部に記憶する。
【００１８】
（１２）本発明にかかる学習成果判定方法は、上記学習成果判定サーバによって実行されるものである。また、本発明にかかる学習成果判定プログラムは、コンピュータを上記学習成果判定サーバとして機能させるものである。
【発明の効果】
【００１９】
本発明によれば、装置の操作方法を学習するための教材に対する学習者の理解度（学習成果）を、学習者が操作した装置の作動状況に応じて判定することができる。
【００２０】
また、本発明によれば、学習者の教材の理解度に応じて、学習者が操作している装置、あるいは学習者が操作している装置とは別の装置の作動を制御することができる。
【発明を実施するための最良の形態】
【００２１】
以下、図面を参照しながら、本発明にかかる学習成果判定サーバと方法並びに学習成果判定プログラムの実施の形態について説明する。
なお、以下に説明する実施の形態は、食品加工会社の従業員が工場内の装置の操作方法を学習する場合を例に説明する。つまり、学習者は従業員であり、教材は工場内の装置の操作方法に関するものである。なお、教材の内容は、たとえば、装置を操作する手順や、所定の工程を実施する手順、所定の施設における動作などがある。
【００２２】
図１は、本発明にかかる学習成果判定サーバ（以下、「本サーバ」という）の実施形態の一例を示すブロック図である。符号１０は本サーバを示す。
本サーバ１０は、パーソナルコンピュータなど、学習者端末３０と操作装置５０のそれぞれと通信ネットワークＮＷを介して接続された情報処理装置であって、学習者の学習成果を判定する装置である。
【００２３】
通信ネットワークＮＷの例としては、インターネットやＬＡＮ（Local Area Network）などのコンピュータ通信網がある。本サーバ１０、学習者端末３０、操作装置５０は、専用線、公衆交換電話網（PSTN）、無線電話網、ＣＡＴＶ網、衛星通信網等の通信回線を介して通信ネットワークＮＷと接続している。
【００２４】
学習者端末３０は、学習者が利用する端末である。学習者端末３０は、本サーバ１０と情報の送受信が可能な情報処理装置であればよく、たとえば、パーソナルコンピュータをはじめ、データ通信機能を有するＰＤＡ（Personal Digital Assistant）や携帯電話機などで実現される。
【００２５】
操作装置５０は、学習者が操作する少なくとも１以上の装置である。ここでは、操作装置５０は、第一の操作装置として手洗装置５１、及び第二の操作装置として手洗室のドア５２から構成されるものとする。
手洗装置５１は、操作者情報（学習者識別情報）取得部５１Ａ、作動情報発生部５１Ｂ、作動制御部５１Ｃ、ディスプレイ５１Ｄ、などを具備する。また、手洗室のドア５２は、図示しないが、操作者情報（学習者識別情報）取得部、作動情報発生部、作動制御部、ディスプレイなどを具備する。
なお、従業員は、操作装置５０を操作する前提として、この従業員を特定する情報（学習者識別情報：以下、「学習者ＩＤ」という）が記憶されている記憶媒体を所持しているものとする。学習者が学習者ＩＤの記憶されている記憶媒体を所持する態様としては、たとえば、学習者が記憶媒体を携行する、あるいは、記憶媒体であるＩＣカードやＩＣタグが埋め込まれた作業着などを身に付ける、などがある。
【００２６】
操作者情報（学習者識別情報）取得部５１Ａは、操作装置５０を操作する従業員を特定する情報を取得する、つまり、従業員が身に付けているＩＣカードやＩＣタグから、学習者ＩＤを読み取る手段である。
【００２７】
作動情報発生部５１Ｂは、操作装置の作動情報を生成する手段である。操作装置の作動情報とは、この操作装置の作動状況に関する情報であり、たとえば、作動時間などがある。
【００２８】
作動制御部５１Ｃは、本サーバ１０からの指示により操作装置５０の作動を制御する手段である。操作装置５０の作動制御の例としては、たとえば手洗装置５１において水を出すのを禁止する、水が出るのを止める、再度水を出す、あるいはこれらに加えて、音声を発鳴するものであっても良い。
【００２９】
ディスプレイ５１Ｄは、本サーバ１０からの指示（信号）により所定のメッセージを表示する手段である。このメッセージの表示には、音声を伴っていても良い。
【００３０】
次に、本サーバ１０の構成について説明する。
本サーバ１０は、一例として、学習者情報受付部１１と、教材情報読出部１２と、教材情報送信部１３と、操作情報受付部１４と、操作判定部１５と、教材情報記憶部ＤＢ１と、装置情報記憶部ＤＢ２と、学習履歴情報記憶部ＤＢ３と、作動履歴情報記憶部ＤＢ４と、判定情報記憶部ＤＢ５と、を具備する。
【００３１】
また、本サーバ１０は、図示しないが、ＣＰＵ（中央処理装置）とプログラム記憶部とを有する。ＣＰＵは、プログラム記憶部に記憶されたプログラムに従い、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。
【００３２】
なお、本サーバ１０では、本発明にかかる学習成果判定プログラム（以下、「本プログラム」という）が動作して本サーバ１０内の各手段を制御することで、以下に説明する学習成果判定方法（以下、「本方法」という）を実現する。
また、本プログラムを記録したコンピュータ読取可能な記録媒体（以下、「本記録媒体」という）を用いれば、図示しないコンピュータを本サーバ１０と同様に機能させることができる。すなわち、図示しないコンピュータが、本記録媒体から本プログラムを読取、実行することで、本方法を実現することができる。
【００３３】
教材情報記憶部ＤＢ１は、教材（教材情報）と、この教材情報を特定する教材ＩＤと、この教材に関する演習問題情報が関連付けて記憶されている第一記憶手段である。
教材情報とは、操作装置の操作方法を学習するための情報であって、従業員の閲覧要求などに応じて本サーバ１０から学習者端末３０に送信され、従業員が閲覧するものである。
図３は、教材情報記憶部ＤＢ１に記憶されている情報の例を示す模式図であり、たとえば、教材情報「ＴＭ０１.ｈｔｍｌ」の教材ＩＤは「ＴＭ０１」、演習問題情報は「ＥＸ１１．ｈｔｍｌ」であること、などを示している。演習問題情報とは、教材情報に関連した情報であって、たとえば、教材の理解を深めるための演習問題である。
本サーバ１０は、教材ＩＤをインデックスとして（教材ＩＤをもとに）教材情報記憶部ＤＢ１を検索することで、この教材ＩＤに関連付けて記憶されている教材情報や演習問題情報を読み出すことができる。
【００３４】
装置情報記憶部ＤＢ２は、操作装置を特定する装置ＩＤと、学習項目情報と、教材ＩＤが関連付けて記憶されている第二記憶手段である。
学習項目情報とは、操作装置の名称、工程の名称、施設の名称など、学習者が学習する教材を選択するために指定（して本サーバ１０に送信）する情報、つまり、教材を検索するためのキーワード（インデックス）である。
図４は、装置情報記憶部ＤＢ２に記憶されている情報の例を示す模式図であり、たとえば、装置ＩＤ「ＥＱ０１」の操作装置の学習項目情報が「ＥＬ０１」であること、この操作装置の操作方法は教材ＩＤ「ＴＭ０１」の教材を学習する必要があること、などを示している。
本サーバ１０は、学習項目情報をインデックスとして装置情報記憶部ＤＢ２を検索することで、この学習項目情報に関連付けて記憶されている装置ＩＤや教材ＩＤを読み出すことができる。
【００３５】
学習履歴情報記憶部ＤＢ３は、学習者を特定する学習者ＩＤと、この学習者が学習（閲覧）した教材を特定する教材ＩＤと、教材ごとの判定情報を関連付けて記憶する第三記憶手段である。
教材の判定情報とは、この教材の学習成果（理解度）を示す情報である。
図５は、学習履歴情報記憶部ＤＢ３に記憶されている情報の例を示す模式図であり、たとえば、学習者ＩＤ「ＳＴ０１」の学習者は、教材ＩＤ「ＴＭ０１」と「ＴＭ１４」の教材を学習済であること、および、教材ＩＤ「ＴＭ０１」の教材の理解度を示す判定情報は「Ａ」であること、教材ＩＤ「ＴＭ１４」の教材の理解度は未判定であること、などを示している。
本サーバ１０は、学習者ＩＤをインデックスとして学習履歴情報記憶部ＤＢ３を検索することで、この学習者ＩＤに関連付けて記憶されている教材ＩＤや判定情報を読み出すことができる。つまり、学習者を特定する情報から、この学習者の学習履歴を検索することができる。
【００３６】
作動履歴情報記憶部ＤＢ４は、操作装置を特定する装置ＩＤと、この操作装置を操作した学習者を特定する学習者ＩＤと、この学習者の操作によるこの操作装置の作動情報を関連付けて記憶する第四記憶手段である。
図６は、作動履歴情報記憶部ＤＢ４に記憶されている情報の例を示す模式図であり、学習者ＩＤ「ＳＴ０１」の学習者が装置ＩＤ「ＥＱ０」の操作装置を、２００５年１２月１日に７０秒、２００５年１２月２日に８０秒、２００５年１２月５日に５０秒、２００５年１２月８日に１５秒、操作したことが記憶されていることを示している。
本サーバ１０は、装置ＩＤをインデックスとして作動履歴情報記憶部ＤＢ４を検索することで、この装置ＩＤと関連付けて記憶されている学習者ＩＤと作動情報を読み出すことができる。つまり、操作装置を特定する情報から、この操作装置を操作した学習者とその操作状況を検索することができる。
【００３７】
判定情報記憶部ＤＢ５は、操作装置を特定する装置ＩＤと、この操作装置の作動情報ごとの判定情報が関連付けて記憶されている第五記憶手段である。
図７は、判定情報記憶部ＤＢ５に記憶されている情報の例を示す模式図であり、たとえば、装置ＩＤ「ＴＭ０１」の操作装置は作動時間に応じて判定情報が定義されていることを示している。つまり、作動時間が６０秒以上であれば判定情報は「Ａ」、３０秒以上６０秒未満であれば判定情報は「Ｂ」、３０秒未満であれば判定情報は「Ｃ」である。
なお、判定情報は、操作状況に応じてＡ、Ｂ、Ｃ、・・・や、１００点、９０点、８０点、・・・といった順次ランク付けを行なうものであっても良いし、操作が正しいか否かその適否を示す○や×といったランク付けを行うものであっても良い。
【００３８】
以上説明した各データベースは、本サーバ１０に搭載されたハードディスクなどの記憶装置上に実現されている。
【００３９】
学習者情報受付部１１は、学習希望情報を学習者端末３０から受信する手段である。学習希望情報には、学習項目情報と学習者ＩＤが含まれる。
学習者情報受付部１１で受信された学習希望情報は、教材情報読出部１２へ送られる。
【００４０】
教材情報読出部１２は、学習者情報受付部１１で受信された学習希望情報に基づいて装置情報記憶部ＤＢ２を参照し、学習希望情報に含まれる学習項目情報に基づいて該当する教材ＩＤを特定し、さらに、特定した教材ＩＤに基づき教材情報記憶部ＤＢ１を参照して、該当する教材情報を読み出す手段である。教材情報読出部１２で読み出された教材情報は教材情報送信部１３へ送られ、特定された教材ＩＤは学習希望情報に含まれる学習者ＩＤと関連付けて学習履歴情報記憶部ＤＢ３に記憶される。
【００４１】
教材情報送信部１３は、教材情報読出部１２で読み出された教材情報を、学習者端末３０に送信する手段である。
これにより、学習者（学習者端末３０）に対して所望の教材情報を提供することが出来る。
なお、本サーバ１０から学習者端末３０に送信される教材は、ＷＥＢページであり、本サーバ１０と学習者端末３０との間は、ＨＴＴＰプロトコルを用いて情報交換が行われる。つまり、本サーバ１０は、学習希望情報を学習者端末３０から受信すると、この学習者端末３０を特定することができ、特定した学習者端末３０に対して読み出した教材を送信することができる。ただし、本サーバと学習者端末との間の情報交換は、これに限定されない。
【００４２】
操作情報受付部１４は、操作装置からこの操作装置の操作情報を受信して作動履歴情報記憶部ＤＢ４に記憶する手段である。操作装置の操作情報には、この操作装置の装置ＩＤと、この操作装置の作動情報と、この操作装置を操作した学習者の学習者ＩＤが含まれる。つまり、たとえば、学習者が第一の操作装置である手洗装置５１を操作することに伴って発生する作動情報と手洗装置５１を操作する学習者の学習者ＩＤ、及び手洗装置５１の装置ＩＤを含む操作情報を、本サーバ１０は操作情報受付部１４を用いて手洗装置５１から受信する。操作情報受付部１４で受信された操作情報は、作動履歴情報記憶部ＤＢ４に記憶される。
【００４３】
操作判定部１５は、操作情報を受信した際に、判定情報記憶部ＤＢ５を参照し、この操作情報に含まれる装置ＩＤと作動情報に対応する判定情報を読み出す手段である。また、操作判定部１５は、後述する及第値情報記憶部１７を参照して、判定情報が及第値情報の基準を満たしているか否か判定する。
【００４４】
次に、図２を参照しながら、本方法について説明する。
図２は、第一実施形態と第二実施形態の例を示すシーケンス図である。第一実施形態では、学習者である従業員が、作業前には工場内の手洗室の手洗装置５１を使用して所定の時間手洗いを行うことを教材で学習した後に、実際に手洗室に入室して所定の時間手洗いを行ったかどうかを判定する。第二実施形態では、第一実施形態における判定後に、学習者端末２へ判定情報を送信する。
【００４５】
（第一実施形態）
まず、本サーバ１０内の教材情報記憶部ＤＢ１、装置情報記憶部ＤＢ２、判定情報記憶部ＤＢ５に、あらかじめ、所定の情報を記憶しておく。すなわち、従業員が操作装置を操作するために学習する教材情報とこの教材情報の教材ＩＤを関連付けて教材情報記憶部ＤＢ１に記憶しておく（（ａ）参照）。また、学習項目情報と装置ＩＤと教材ＩＤを関連付けて装置情報記憶部ＤＢ２に記憶しておく（（ｂ）参照）。さらに、操作装置の装置ＩＤと、この操作装置の作動情報ごとの判定情報を関連付けて判定情報記憶部ＤＢ５に記憶しておく（（ｃ）参照）。
【００４６】
学習者は、手洗装置５１の操作に先立って、手洗装置５１の操作に関する教材を閲覧する。すなわち、学習者は、学習希望情報、つまり、手洗装置５１に関する学習項目情報（たとえば、「手洗装置」）と学習者を特定する学習者ＩＤを学習者端末３０より入力して、本サーバ１０へ送信する（（１）参照）。なお、学習者は、学習者端末３０から本サーバ１０にアクセスして学習希望情報を入力するＷＥＢページに、学習者端末３０のキーボードなどの入力手段（図示省略）を用いて学習希望情報を入力し、本サーバ１０に学習希望情報を送信する。
【００４７】
本サーバ１０は、学習者情報受付部１１を用いて、学習希望情報を学習者端末３０から受信する（（２）参照）。
次いで、本サーバ１０は、教材情報読出部１２を用いて、装置情報記憶部ＤＢ２を参照し、学習者端末３０から受信した学習希望情報に含まれる学習項目情報に基づいて該当する教材ＩＤを特定し、さらに、特定した教材ＩＤに基づき教材情報記憶部ＤＢ１を参照して該当する教材情報を読み出す（（３）参照）。
本サーバ１０は、読み出した教材情報を、学習者端末３０へ送信する（（４）参照）。
【００４８】
学習者は、本サーバ１０から受信した教材情報を学習者端末３０のディスプレイ３０Ｄに出力して閲覧する（学習する）。図９は、ディスプレイ３０Ｄに表示された教材情報の例を示す模式図である。教材画面Ｐ１には、「作業前には、手洗いをしなければならない。手洗時間は、最低６０秒である。６０秒未満だと殺菌効果が無いからである。」といった教材の内容が表示されている。
なお、本サーバ１０は、学習者に送信した教材の教材ＩＤとこの学習者の学習者ＩＤを関連付けて学習履歴情報記憶部ＤＢ３に記憶する（（５）参照）。
【００４９】
次に、手洗装置５１の操作方法に関する教材を学習した学習者が、実際に手洗装置５１を操作（作動）する（（６）参照）場合について説明する。
手洗装置５１では、操作者情報（学習者識別情報）取得部５１Ａが、学習者が身に付けているＩＣカードやＩＣタグから、学習者ＩＤを取得する（（７）参照）。
手洗装置５１は、読み取った学習者ＩＤと共に、学習者が手洗装置５１を操作することに伴って作動情報発生部５１Ｂより発生する作動情報、及び手洗装置５１の装置ＩＤを含む操作情報を本サーバ１０へ送信する（（８）参照）。
【００５０】
本サーバ１０は、操作情報受付部１４を用いて、手洗装置５１より送られた操作情報、すなわち学習者ＩＤと作動情報と装置ＩＤを受信する（（９）参照）。
本サーバ１０は、受信した操作情報に含まれる作動情報と学習者ＩＤと装置ＩＤを関連付けて作動履歴情報記憶部ＤＢ４に記憶する（（１０）参照）。
【００５１】
そして、本サーバ１０は、操作判定部１５を用いて、判定情報記憶部ＤＢ５を参照し、受信した操作情報に含まれる装置ＩＤと作動情報に基づいて手洗装置５１の操作に対する判定情報を読み出す（（１１）参照）。読み出された判定情報は、学習履歴情報記憶部ＤＢ３に記憶されている学習者ＩＤと教材ＩＤ（（５）参照）とに関連付けて記憶される。なお、本サーバ１０は、学習者ＩＤと関連付けて学習履歴情報記憶部ＤＢ３に記憶されている教材ごとの判定情報を、学習者が学習者端末３０より学習者ＩＤを入力して要求することで、学習者端末３０に送信して、学習者に閲覧させることができるように構成されている。
【００５２】
以上説明したように、本サーバ１０は、手洗装置５１の操作方法に関する教材を学習者に閲覧させて学習させると共に、この学習者が手洗装置５１を操作した際に、その操作状況を示す作動情報を受信することで教材の理解度を判定することができる。つまり、学習者が教材から手洗時間について学習した場合に、実際の手洗時間に基づいて、この教材の理解度を判定することができる。
【００５３】
次に、以上のような構成による本サーバ１０の基本的な動作の一例を、図８を参照しながら説明する。図８は、上記第一実施形態を実施する本サーバ１０での処理の流れを示すフローチャートである。
図８に示されるように、まず、学習者情報受付部１１が、学習希望情報を学習者端末３０から受信したか否か判断する（Ｓ１１）。
学習者情報受付部１１が学習希望情報を受信した場合（Ｙ）は、教材情報読出部１２が、学習希望情報に含まれる学習項目情報に基づいて装置情報記憶部ＤＢ２を参照して該当する教材ＩＤを特定し、さらに、特定した教材ＩＤに基づき教材情報記憶部ＤＢ１を参照して該当する教材情報を読み出す（Ｓ１２）。
一方、学習者情報受付部１１が学習希望情報を受信していない場合（Ｎ）は、操作情報受付部１４が操作情報を受信したか否か判断する（Ｓ１５）。
【００５４】
教材情報読出部１２により読み出された教材情報は、教材情報送信部１３へ送られる。教材情報送信部１３は、読み出された教材情報を学習者端末３０へ送信する（Ｓ１３）。
また、教材情報が学習者端末３０へ送信されたことに伴って、教材情報読出部１２は、学習者ＩＤと教材ＩＤとを関連付けて学習履歴情報記憶部ＤＢ３に記憶する（Ｓ１４）。
【００５５】
次に、操作情報受付部１４が操作情報を受信したか否か判断した結果、操作情報を受信した場合（Ｙ）は、操作情報受付部１４は、受信した操作情報に含まれる作動情報と学習者ＩＤと装置ＩＤとを関連付けて作動履歴情報記憶部ＤＢ４に記憶する（Ｓ１６）。
一方、操作情報受付部１４が操作情報を受信していない場合（Ｎ）は、本サーバ１０での基本的な一連の動作は終了する。
【００５６】
また、操作情報受付部１４が操作情報を受信したことに応じて、操作判定部１５は、判定情報記憶部ＤＢ５を参照し、操作装置５０での作動情報に対する判定情報を読み出す（判定を行う）（Ｓ１７）。
その後、本サーバ１０は、読み出した判定情報に基づいて種々の処理（Ａ，Ｂ）を行う。処理の例としては、判定情報や演習問題情報を学習者端末３０に送信する、あるいは、学習履歴を学習履歴情報記憶部ＤＢ３から削除する、さらには、警告メッセージを操作装置に送信する、さらにまた、操作した第一の操作装置を制御（水を止めない）、もしくは操作した第一の操作装置に関連する第二の操作装置を制御する（ドアの施錠を解錠しない）、などがある。そして、これらの処理は、本サーバ１０のプログラム記憶部に記憶されたプログラムにおいて事前に設定されていて実行される。
【００５７】
（第二実施形態）
次に、本発明の別の実施形態について、先に説明した実施形態と異なる部分を中心に説明する。本実施形態は、本サーバ１０が、学習者ＩＤに関連付けて記憶されている教材ＩＤと判定情報を学習履歴情報記憶部ＤＢ３から読み出して学習者端末３０に送信するものである。
【００５８】
本実施形態の場合、本サーバ１０は、学習者情報受付部１１と教材情報読出部１２と教材情報送信部１３と操作情報受付部１４と操作判定部１５と教材情報記憶部ＤＢ１と装置情報記憶部ＤＢ２と学習履歴情報記憶部ＤＢ３と作動履歴情報記憶部ＤＢ４と判定情報記憶部ＤＢ５に加えて、さらに判定情報送信部１６を具備する。
【００５９】
判定情報送信部１６は、操作判定部１５で読み出した判定情報を、操作情報受付部１４で受信した学習者ＩＤ（学習履歴情報記憶部ＤＢ３に記憶されている）に基づいて該当する学習者端末３０に送信する手段である。なお、本サーバ１０内の記憶手段（図示省略）には、学習者を特定する学習者ＩＤと、この学習者が利用する学習者端末を特定する情報（たとえば、ＩＰアドレス）が関連付けて記憶されているものとする。つまり、本サーバ１０は、学習者ＩＤをもとに、学習者端末３０を特定することができる。
【００６０】
以下、本実施形態について、図２を参照しながら説明する。
本サーバ１０は、作動情報に基づいて操作装置の操作に対する判定（この操作装置の操作方法に関する教材の理解度の判定）を行い、判定情報を読み出すと、その判定情報を学習履歴情報記憶部ＤＢ３に記憶すると共に、学習者端末３０へ送信する（（１２）参照）
学習者は、学習者端末３０のディスプレイ３０Ｄに表示された教材ＩＤと判定情報を閲覧して、自分の教材の理解度を確認する。
【００６１】
図１０は、ディスプレイ３０Ｄに表示された判定情報の例を示す模式図である。判定画面Ｐ２には、教材ＩＤと共に、「あなたの判定結果は、Ａです。」といった判定情報を示す内容と、判定した操作装置を作動（操作）した年月日「２００５．１２．０２」と、作動（操作）した操作装置の装置ＩＤ「ＥＱ０１」と、作動情報としての作動時間「８０秒」が表示されている。
【００６２】
なお、本サーバ１０は、学習者の教材に関する判定情報を、学習者以外の者、たとえば、学習者である従業員の上司や人事担当者など、学習者の学習成果を検索したい者の端末に送信するように構成してもよい。この場合、たとえば、本サーバ１０は、図示しない手段を用いて、検索者の端末から学習者ＩＤを受信し、この学習者ＩＤに関連付けて記憶されている教材ＩＤと判定情報を学習履歴情報記憶部ＤＢ３から読み出して、検索者の端末に送信する。なお、検索のキーワードは、学習者ＩＤのほか、たとえば、教材ＩＤや装置ＩＤ、あるいは、これらの組合せであってもよい。
【００６３】
次に、本サーバ１０の動作の一例を、図１１を参照しながら説明する。図１１は、上記第二実施形態を実施する本サーバ１０の処理の流れを示すフローチャートである。
【００６４】
操作判定部１５が作動情報に基づいて操作装置の操作に対する判定を行うと、判定情報送信部１６は、操作情報受付部１４で受信した操作情報に含まれる学習者ＩＤに基づいて学習者端末３０を特定する（Ｓ２１）。
【００６５】
そして、判定情報送信部１６は、操作判定部１５が読み出した判定情報を、特定した学習者端末３０に送信する（Ｓ２２）。
これにより、本サーバ１０の一連の動作は終了する。
【００６６】
（第三実施形態）
次に、本発明のさらに別の実施形態について、先に説明した実施形態と異なる部分を中心に説明する。本実施形態は、学習者の教材の理解度が所定のレベル（合格基準）に達していないときに、この教材に関する演習問題を学習者に閲覧させて、再度、学習させるものである。
【００６７】
本実施形態の場合、本サーバ１０は、学習者情報受付部１１と教材情報読出部１２と教材情報送信部１３と操作情報受付部１４と操作判定部１５と教材情報記憶部ＤＢ１と装置情報記憶部ＤＢ２と学習履歴情報記憶部ＤＢ３と作動履歴情報記憶部ＤＢ４と判定情報記憶部ＤＢ５に加えて、さらに及第値情報記憶部１７と、学習履歴確認部１８と、演習問題情報読出部２０と、演習問題情報送信部２１と、演習問題情報記憶部ＤＢ６とを具備する。
【００６８】
演習問題情報記憶部ＤＢ６は、教材情報に対応した演習問題情報を、教材ＩＤと関連付けて記憶する第六記憶手段である。
【００６９】
及第値情報記憶部１７は、及第値情報を記憶している手段である。
及第値情報とは、装置の操作方法を学習するための教材の理解度の合格基準を示す情報であって、あらかじめ本サーバ１０内に記憶されている情報である。本サーバ１０は、読み出した判定情報を及第値情報と比較して、後述するように、その比較結果に応じた種々の処理を行う。
【００７０】
なお、及第値情報は、本サーバ１０内で１つの情報であってもよい。つまり、及第値情報を「６０点以上」とすると、操作装置や教材に関わらず、すべての教材について、たとえば、判定情報が６０点以上であるときに、理解している、と判定するように設定できる。
また、及第値情報は、教材ＩＤと関連付けて記憶されていてもよい。つまり、教材ごとに理解度の合格基準を設定してもよい。
さらに、及第値情報は、装置ＩＤと関連付けて記憶されていてもよい。つまり、装置ごとに教材の理解度の合格基準を設定してもよい。
さらにまた、及第値情報は、装置ＩＤと教材ＩＤの組合せに関連付けて記憶されていてもよい。つまり、同じ教材であっても、その教材で学習した内容に基づいて操作する装置ごとに理解度の合格基準を設定してもよい。
【００７１】
学習履歴確認部１８は、操作装置から受信した操作情報に含まれる装置ＩＤと関連付けて装置情報記憶部ＤＢ２に記憶されている教材ＩＤが、この操作情報に含まれる学習者ＩＤと関連付けて学習履歴情報記憶部ＤＢ３に記憶されているか否かを判定する手段である。つまり、操作装置を操作した者が、すでにこの操作装置の操作方法に関する教材を学習済であるか否かを判定する手段である。
【００７２】
演習問題情報読出部２０は、学習履歴確認部１８での確認（判定）の結果、学習履歴情報記憶部ＤＢ３に、装置情報記憶部ＤＢ２で特定した教材ＩＤが含まれているとき、特定した教材ＩＤに関連付けて記憶されている演習問題情報を演習問題情報記憶部ＤＢ６から読み出す手段である。
【００７３】
演習問題情報送信部２１は、読み出された演習問題情報を、操作情報受付部１４で受信した装置ＩＤに基づき特定した手洗装置５１、又は操作情報受付部１４で受信した学習者ＩＤに基づき特定した学習者端末３０に対して送信する手段である。
【００７４】
なお、本サーバ１０内の記憶手段（図示省略）には、操作装置の装置ＩＤと、この操作装置を特定する情報（たとえば、ＩＰアドレス）が関連付けて記憶されている。つまり、本サーバ１０は、この記憶手段を参照すれば、装置ＩＤから操作装置を特定する情報を読み出して、この操作装置と通信することができる。
【００７５】
以下、本実施形態について、図１２を参照しながら説明する。
まず、判定情報と比較するための及第値情報を及第値情報記憶部１７に設定（記憶）しておく。及第値情報の設定は、たとえば本サーバ１０のプログラム記憶部に記憶されたプログラムにおいて事前に行なう（（ｄ）参照）。
また、教材情報に対応した演習問題情報を、教材ＩＤと関連付けて演習問題情報記憶部ＤＢ６に記憶しておく（（ｅ）参照）。この演習問題情報記憶部ＤＢ６は、図３に示すように、教材情報記憶部ＤＢ１と兼用してもよい。
【００７６】
本サーバ１０は、作動情報に基づいて操作装置の操作に対する判定情報を読み出した後に（（１１）参照）、及第値情報記憶部１７に記憶されている及第値情報を読み出して参照し、読み出した判定情報と及第値情報とを比較して、判定情報が及第値情報を満たしているか（クリアしているか）判定する（（２１）参照）。
【００７７】
判定情報と及第値情報の比較は、事前に本サーバ３０内に設定しておくことで、種々の方法を採用できる。
たとえば、判定情報の種類を「Ａ」「Ｂ」「Ｃ」とし、及第値情報が「Ａ」「Ｂ」とすると、判定情報が「Ａ」「Ｂ」のときにのみ判定情報は及第値情報を満たしていると判定され、判定情報が「Ｃ」のときには判定情報は及第値情報を満たしていないと判定される。
あるいは、判定情報の種類を「０」から「１００」の数値で表すとし、及第値情報が「６０以上」とすると、判定情報が「６０」から「１００」のときにのみ、判定情報は及第値情報を満たしていると判定され、判定情報が「０」から「５９」のときには判定情報は及第値情報を満たしていないと判定される。
【００７８】
次に、本サーバ１０は、判定情報が及第値情報を満たしていないと判定したとき、学習履歴確認部１８を用いて、操作装置を操作した学習者の学習履歴を確認する（（２２）参照）。学習履歴の確認の結果、操作装置から受信した操作情報に含まれる装置ＩＤと関連付けて装置情報記憶部ＤＢ２に記憶されている教材ＩＤが、この操作情報に含まれる学習者ＩＤと関連付けて学習履歴情報記憶部ＤＢ３に記憶されていると判定されたとき、この教材ＩＤと関連付けて記憶されている演習問題情報を演習問題情報記憶部ＤＢ６から読み出す（（２３）参照）。その後、本サーバ１０は、読み出された演習問題情報を、学習者ＩＤに基づいて特定した学習者端末３０、または操作情報の送信元である手洗装置５１に対して送信する（（２４）参照）。
【００７９】
そして、演習問題情報が学習者端末３０へ送信された場合、学習者は、送られた演習問題情報を学習者端末３０のディスプレイ３０Ｄに出力・表示し、演習問題を用いて再度学習を行なう（（２５Ａ）参照）。一方、演習問題情報が手洗装置５１へ送信された場合、送信された演習問題情報を手洗装置５１のディスプレイ５１Ｄに出力・表示し、学習者は、その場で演習問題を閲覧（学習）する（（２５Ｂ）参照）。
図１３は、ディスプレイ３０Ｄ（５１Ｄ）に表示された演習問題情報の例を示す模式図である。演習問題情報画面Ｐ３には、「手洗いの最低時間は何秒？」といった学習内容を確認する演習問題情報が表示されている。
【００８０】
なお、ディスプレイ３０Ｄ（５１Ｄ）はタッチパネルで構成されていて、表示された演習問題の解答を選択（入力）して本サーバ１０に送信できるように構成されていてもよい。この場合、本サーバ１０は、演習問題に対する正解を記憶手段（図示省略）に記憶しておき、学習者端末３０または手洗装置５１から解答を受信すると、正解を読み出して学習者端末３０または手洗装置５１に送信できるように構成するとよい。
【００８１】
以上説明した実施形態によれば、本サーバ１０は、操作装置から受信した操作情報に基づいて学習者の学習成果を判定した結果、この操作装置の操作に関する教材の理解が不十分であると判定したときには、この教材に関する演習問題を学習者に閲覧させることができる。
【００８２】
なお、演習問題情報を送信するのに代えて、あるいは演習問題情報と共に、教材情報を学習者に閲覧させるように本サーバを構成してもよい。
【００８３】
（第四実施形態）
次に、本発明のさらに別の実施形態について、先に説明した実施形態と異なる部分を中心に説明する。本実施形態は、判定結果に応じて、学習者の学習履歴を削除するものである。
【００８４】
本実施形態の場合、本サーバ１０は、学習者情報受付部１１と教材情報読出部１２と教材情報送信部１３と操作情報受付部１４と操作判定部１５と教材情報記憶部ＤＢ１と装置情報記憶部ＤＢ２と学習履歴情報記憶部ＤＢ３と作動履歴情報記憶部ＤＢ４と判定情報記憶部ＤＢ５に加えて、さらに学習履歴削除部１９を具備する。
【００８５】
学習履歴削除部１９は、学習履歴確認部１８での確認の結果、学習履歴情報記憶部ＤＢ３に、装置情報記憶部ＤＢ２で特定した教材ＩＤが含まれているとき、学習者ＩＤに関連付けて記憶されている教材ＩＤを学習履歴情報記憶部ＤＢ３から削除する手段である。
【００８６】
以下、第四実施形態について、図１４を参照しながら説明する。
まず、及第値情報を及第値情報記憶部１７に設定しておく（（ｄ）参照）。
次に、本サーバ１０は、作動情報に基づいて操作装置の操作に対する判定情報を読み出した後（（１１）参照）、及第値情報記憶部１７に記憶されている及第値情報を参照し、判定情報が及第値情報をクリアして（満たして）いるか否かを判定する（（３１）参照）。
【００８７】
本サーバ１０は、判定情報が及第値情報を満たしていないと判定したとき、操作装置を操作した学習者の学習履歴を確認する（（３２）参照）。学習履歴の確認の結果、操作装置から受信した操作情報に含まれる装置ＩＤと関連付けて装置情報記憶部ＤＢ２に記憶されている教材ＩＤが、この操作情報に含まれる学習者ＩＤと関連付けて学習履歴情報記憶部ＤＢ３に記憶されていると判定されたとき、学習者ＩＤと関連付けて記憶されている教材ＩＤを学習履歴情報記憶部ＤＢ３から削除する（（３３）参照）。その際、この教材ＩＤと関連付けて記憶されている判定情報も学習履歴情報記憶部ＤＢ３から削除するようにしてもよい。
【００８８】
以上説明した実施形態によれば、本サーバ１０は、操作装置から受信した操作情報に基づいて学習者の学習成果を判定した結果、この操作装置の操作に関する教材の理解が不十分であると判定したときには、この教材の教材ＩＤを学習履歴情報記憶部ＤＢ３から削除することができる。つまり、学習者は、教材を閲覧して操作装置の操作方法を学習した際に、この教材の教材ＩＤはこの学習者の学習履歴として記憶されるが、その後の学習者の操作装置の操作方法によっては、この学習履歴が削除されてしまう。すなわち、教材を閲覧して学習した内容を学習者が実践できなければ、教材の学習履歴は削除されてしまう。前述のとおり、学習履歴情報記憶部ＤＢ３に記憶されている学習者の学習履歴（学習者ＩＤに関連付けて記憶されている教材ＩＤ）は、学習者などが閲覧できるように構成されている。したがって、教材を閲覧した時点で学習済として記憶された学習履歴は、教材の内容を実践できなければ削除されてしまい、その後に閲覧したときは未学習となる。そのため、たとえば、学習者や学習者の上司などは、学習履歴情報記憶部ＤＢ３に記憶されている学習履歴を参照することで、学習者が単に閲覧しただけでなく、教材の内容を実践できている教材を把握することができる。
【００８９】
（第五実施形態）
次に、本発明のさらに別の実施形態について、先に説明した実施形態と異なる部分を中心に説明する。本実施形態は、判定情報が及第値情報を満たしていないと判定したときに、本サーバが装置に対して報知信号を送信するものである。
【００９０】
ここで、報知信号とは、装置が具備する報知手段を作動させるための信号である。報知の方法は、装置を操作する学習者に対して判定情報が及第値情報を満たしていないこと、つまり、この装置の操作方法の理解度が不十分であることを通知するものであればよく、たとえば、文字情報のほか音声や光、あるいは、振動などである。装置は、報知の方法に応じた報知手段を具備している。
【００９１】
本実施形態の場合、本サーバ１０は、学習者情報受付部１１と教材情報読出部１２と教材情報送信部１３と操作情報受付部１４と操作判定部１５と教材情報記憶部ＤＢ１と装置情報記憶部ＤＢ２と学習履歴情報記憶部ＤＢ３と作動履歴情報記憶部ＤＢ４と判定情報記憶部ＤＢ５に加えて、さらに警告情報送信部２２を具備する。ここでは、報知信号として警告情報を送信するものとする。
【００９２】
なお、報知手段は、装置に少なくとも１つあればよいが、たとえば、判定情報に応じて（つまり、学習者の理解度に応じて）、複数の報知手段を備えてもよい。この場合、本サーバは、判定情報ごとに報知信号を記憶手段（図示省略）に記憶していて、判定情報に応じた報知信号を記憶手段から読み出して装置に送信する手段を備えている。
【００９３】
警告情報送信部２２は、学習履歴確認部１８での確認の結果、学習履歴情報記憶部ＤＢ３に、装置情報記憶部ＤＢ２で特定した教材ＩＤが含まれ、判定情報が及第値情報の基準を満たさないとき、操作情報受付部１４で受信した装置ＩＤに基づいて特定した第一の操作装置５１又は操作情報受付部１４で受信した学習者ＩＤに基づいて特定した学習者端末３０に対して警告情報を送信する手段である。
【００９４】
以下、本実施形態について、図１５を参照しながら説明する。
まず、及第値情報を及第値情報記憶部１７に設定しておく（（ｄ）参照）。
次に、本サーバ１０は、作動情報に基づいて操作装置の操作に対する判定情報を読み出した後（（１１）参照）、及第値情報記憶部１７に設定された及第値情報を参照し、読み出した判定情報が及第値情報をクリアして（満たして）いるか否かを判定する（（４１）参照）。
そして、本サーバ１０は、判定情報が及第値情報の基準を満たさないと判定したとき、所定の警告情報を、学習者ＩＤに基づいて特定した学習者端末３０又は手洗装置５１に対して送信する（（４２）参照）。
【００９５】
警告情報が学習者端末３０へ送信された場合、警告情報は学習者端末３０のディスプレイ３０Ｄに出力・表示され、学習者はこれを閲覧して、再度学習することを促される（（４３Ａ）参照）。一方、警告情報が手洗装置５１へ送信された場合、送られた演習問題情報は手洗装置５１のディスプレイ５１Ｄに出力・表示され、学習者は、その場で警告情報を確認し、学習した内容の理解が不十分である（実践できていない）ことに気付かされ、再度学習することを促される（（４３Ｂ）参照）。
図１６は、ディスプレイ３０Ｄ（５１Ｄ）に表示された警告情報の例を示す模式図である。警告画面Ｐ４には、「手洗い時間が不十分です。教材を復習してください。」といった、手洗装置５１の操作方法についての理解が不十分である（実践できていない）旨と、再度、手洗装置５１の操作方法に関する教材の学習を行なうことを促す内容が表示されている。
【００９６】
なお、警告画面Ｐ４に、教材ＩＤ（たとえば、Ｗｅｂページである教材情報へのリンク）を掲載しておき、学習者が警告画面Ｐ４に掲載された教材ＩＤを学習者端末３０のマウス（図示省略）で選択することで、対応する教材情報が本サーバ１０から学習者端末３０に送信されるように構成してもよい。
【００９７】
以上説明した実施形態によれば、本サーバ１０は、操作装置から受信した操作情報に基づいて学習者の学習成果を判定した結果、この操作装置の操作に関する教材の理解が不十分であると判定したときには、学習者に対して警告することができる。
【００９８】
なお、本サーバ１０が報知信号を送信する先は、学習者端末や操作装置に代えて、あるいは、学習者端末や操作装置に加えて、学習者の上司の端末となるように、本サーバを構成してもよい。
【００９９】
（第六実施形態）
次に、本発明のさらに別の実施形態について、先に説明した実施形態と異なる部分を中心に説明する。本実施形態は、判定情報が及第値情報を満たしていないと判定したときに、本サーバが、装置の作動を制御するための作動制御信号を装置に送信するものである。
【０１００】
本実施形態の場合、本サーバ１０は、学習者情報受付部１１と教材情報読出部１２と教材情報送信部１３と操作情報受付部１４と操作判定部１５と教材情報記憶部ＤＢ１と装置情報記憶部ＤＢ２と学習履歴情報記憶部ＤＢ３と作動履歴情報記憶部ＤＢ４と判定情報記憶部ＤＢ５に加えて、さらに作動制御情報送信部２３又は関連作動制御情報送信部２４を具備する。
なお、作動制御情報は、作動制御信号の例である。
【０１０１】
作動制御情報送信部２３は、学習履歴確認部１８での確認の結果、学習履歴情報記憶部ＤＢ３に、装置情報記憶部ＤＢ２で特定した教材ＩＤが含まれ、判定情報が及第値情報の基準を満たさないとき、操作情報受付部１４で受信した装置ＩＤに基づいて特定した手洗装置５１に対して作動制御情報を送信する手段である。作動制御情報とは、操作装置の作動を制御するための情報である。ここで、手洗装置５１に対する作動制御は、学習者が６０秒間手を洗う前に手洗装置５１を操作して水を止めようとしても、水が止まらないように制御するものである。
【０１０２】
関連作動制御情報送信部２４は、学習履歴確認部１８での確認の結果、学習履歴情報記憶部ＤＢ３に、装置情報記憶部ＤＢ２で特定した教材ＩＤが含まれ、判定情報が及第値情報の基準を満たさないとき、操作情報受付部１４で受信した装置ＩＤに基づいて特定した手洗装置５１に関連する手洗室のドア５２に対して作動制御情報を送信する手段である。ここでは、手洗室のドア５２に対する作動制御として、施錠を解錠しない、つまり、ドア５２が開かないようにロック（施錠）する。
【０１０３】
以下、本実施形態について、図１７を参照しながら説明する。
まず、及第値情報を及第値情報記憶部１７に設定しておく（（ｄ）参照）。
次に、本サーバ１０は、作動情報に基づいて操作装置の操作に対する判定情報を読み出した後（（１１）参照）、及第値情報記憶部１７に設定されている及第値情報を参照し、読み出した判定情報が及第値情報をクリアして（満たして）いるか否かを判定する（（５１）参照）。
【０１０４】
そして、本サーバ１０は、読み出した判定情報が及第値情報の基準を満たさないと判定したとき、装置ＩＤに基づいて特定した手洗装置５１や手洗室のドア５２に対して作動制御情報を送信する（（５２）参照）。その結果、手洗装置５１の作動を制御する場合には、学習者が手洗を止めようとしても水が止まらない、といった制御がなされる（（５３Ａ）参照）。あるいは、手洗室のドア５２の作動を制御する場合には、従業員が手洗いを終えて手洗室から出ようとしても、手洗室のドア５２が開かず、従業員は手洗室から出ることができない、といった制御がなされる（（５３Ｂ）参照）。
【０１０５】
以上説明した実施形態によれば、本サーバ１０は、操作装置から受信した操作情報に基づいて学習者の学習成果を判定した結果、この操作装置の操作に関する教材の理解が不十分であると判定したときには、操作装置の作動を制御することができる。
【０１０６】
なお、本サーバ１０が作動制御信号を送信する操作装置は、本サーバ１０に操作情報を送信した操作装置５１、あるいは、操作装置５１に関連した別の操作装置５２、さらには、これら操作装置５１と５２の両方であってもよい。
また、操作装置に送信される作動制御信号は、判定結果に応じて異なるようにしてもよい。すなわち、本サーバ１０内の記憶手段（図示省略）には、装置ＩＤと判定情報の組合せごとに、作動制御信号とこの作動制御情報の送信先を特定する情報（たとえば、操作装置のＩＰアドレス）が記憶されている。したがって、本サーバ１０は、判定情報が及第値情報を満たしていないと判定したとき、作動制御信号と、この作動制御信号の送信先の操作装置と、を検索し、作動制御信号を送信する。
【０１０７】
ここで、以上説明した第三乃至第六の実施形態の構成による本サーバ１０の基本的な動作の一例を、図１８を参照しながら説明する。
【０１０８】
まず、判定情報を読み出した操作判定部１５が、及第値情報記憶部１７を参照して及第値情報を読み出し、判定情報が及第値情報をクリアして（満たして）いるか否か判定する（Ｓ３１）。
その結果、判定情報が及第値情報をクリアしている場合（Ｙ）は、本サーバ１０の一連の動作は終了する。
【０１０９】
一方、判定情報が及第値情報をクリアしていない場合（Ｎ）は、学習履歴確認１８が、操作情報受付部１４で受信した装置ＩＤに基づき装置情報記憶部ＤＢ２を参照して該当する教材ＩＤを特定し、さらに、操作情報受付部１４で受信した学習者ＩＤに基づき学習履歴記憶部ＤＢ３を参照して特定した教材ＩＤが含まれているか否かを判定する（Ｓ３２）。
その結果、学習履歴記憶部ＤＢ３に教材ＩＤが含まれていた場合（Ｙ）は、第三実施形態では、演習問題読出部２０が、操作装置を作動（操作）するために学習しなければならない演習問題を読出し、演習問題情報送信部２１が第一の操作装置５１又は学習者端末３０に対して送信して（Ｓ３３Ａ）、本サーバ１０の一連の動作は終了する。
【０１１０】
また、第四実施形態では、学習履歴削除部１９が、学習者が学習した教材の教材ＩＤを学習履歴情報記憶部ＤＢ３から削除して（Ｓ３３Ｂ）、本サーバ１０の一連の動作は終了する。
【０１１１】
また、第五実施形態では、警告情報送信部２２が、学習者ＩＤや装置ＩＤに基づいて特定した学習者端末３０又は手洗装置５１に対して送信して（Ｓ３３Ｃ）、本サーバ１０の一連の動作は終了する。
【０１１２】
さらに、第六実施形態では、作動制御情報送信部２３が、装置ＩＤに基づいて特定した第一の操作装置５１の作動制御部５１Ｃに対して作動制御情報を送信して（Ｓ３３Ｄ）、又は関連制御情報送信部２４が、操作装置識別情報に基づいて特定した第一の操作装置に関連する第二の操作装置の作動制御部（図示せず）に対して作動制御情報を送信して（Ｓ３３Ｅ）、本サーバ１０の一連の動作は終了する。
【０１１３】
なお、これまで説明した実施形態は、食品加工会社の従業員に対する工場内作業に関する教材を例としたが、本発明における学習者、教材、操作装置は、これらに限定されず、イーラーニングにより学習すると共に、その成果を実践して評価することができるものであればよい。
したがって、本発明は、たとえば、自動車の運転方法を学習する場合にも適用可能である。つまり、学習者の運転方法が所定の運転方法（学習者はあらかじめ教材で学習済）、たとえば、
１．乗車したら椅子の位置を調節する、２．ルームミラーの位置を調節する、３．シートベルトをする、４．ギアの位置を確認する、５．ブレーキを踏む、６．キーをまわしてエンジンを掛ける、７．ギアを入れる、８．サイドブレーキを外す、９．ウインカーを出す、１０．アクセルを踏む、の順番であるか否かを、自動車からの操作情報に基づいて判定する。学習者の運転方法が教材と違う場合には、たとえば、判定結果を学習者端末に送信する、あるいは、シートベルトが引き出せない、エンジンキーが回らない、ギアが入らない、サイドブレーキが降りない、など自動車の作動を制御したり、さらには、操作順序を誤る都度、自動車内のスピーカからアラートを発して警告したりすることができる。
【０１１４】
このように、本発明によれば、教材を閲覧して学習した学習者の学習成果を、この学習者の実際の行動に基づいて判定し、その判定結果を学習者に通知して再度学習させたり、教材の対象物に対する作動制御を通じて学習者の行動を制御したりすることができる。
【図面の簡単な説明】
【０１１５】
【図１】本発明に係る学習成果判定装置の実施形態の一例を示すブロック構成図である。
【図２】本発明に係る学習成果判定方法の第一の実施形態及び第二の実施形態の処理の流れを続けて示すシーケンス図である。
【図３】本発明に係る学習成果判定装置が備える教材情報記憶部に記憶されているデータベース構造の一例である。
【図４】本発明に係る学習成果判定装置が備える装置情報記憶部に記憶されているデータベース構造の一例である。
【図５】本発明に係る学習成果判定装置が備える学習履歴情報記憶部に記憶されているデータベース構造の一例である。
【図６】本発明に係る学習成果判定装置が備える作動履歴情報記憶部に記憶されているデータベース構造の一例である。
【図７】本発明に係る学習成果判定装置が備える判定情報記憶部に記憶されているデータベース構造の一例である。
【図８】本発明に係る学習成果判定方法の第一の実施形態に係る情報処理の一例を示すフローチャートである。
【図９】本発明に係る学習成果判定装置と接続した学習者端末のディスプレイに表示された教材の一例を示す模式図である。
【図１０】本発明に係る学習成果判定装置と接続した学習者端末のディスプレイに表示された判定情報の一例を示す模式図である。
【図１１】本発明に係る学習成果判定方法の第二の実施形態に係る情報処理の一例を示すフローチャートである。
【図１２】本発明に係る学習成果判定方法の第三の実施形態の処理の流れを示すシーケンス図である。
【図１３】本発明に係る学習成果判定装置と接続した学習者端末のディスプレイに表示された演習情報の一例を示す模式図である。
【図１４】本発明に係る学習成果判定方法の第四の実施形態の処理の流れを示すシーケンス図である。
【図１５】本発明に係る学習成果判定方法の第五の実施形態の処理の流れを示すシーケンス図である。
【図１６】本発明に係る学習成果判定装置と接続した操作装置のディスプレイに表示された警告情報の例を示す模式図である。
【図１７】本発明に係る学習成果判定方法の第六の実施形態の処理の流れを示すシーケンス図である。
【図１８】本発明に係る学習成果判定方法の第三の実施形態、第四の実施形態、第五の実施形態、及び第六の実施形態に係る情報処理の一例をまとめて示すフローチャートである。
【符号の説明】
【０１１６】
１０    学習成果判定サーバ
３０    学習者端末
５０    操作装置
５１    第一の操作装置（手洗装置）
５２    第二の操作装置（手洗室のドア）
ＤＢ１  教材情報記憶部
ＤＢ２  装置情報記憶部
ＤＢ３  学習履歴情報記憶部
ＤＢ４  作動履歴情報記憶部
ＤＢ５  判定情報記憶部。
【図１】
2007219335.tif 000003
【図２】
2007219335.tif 000004
【図３】
2007219335.tif 000005
【図４】
2007219335.tif 000006
【図５】
2007219335.tif 000007
【図６】
2007219335.tif 000008
【図７】
2007219335.tif 000009
【図８】
2007219335.tif 000010
【図９】
2007219335.tif 000011
【図１０】
2007219335.tif 000012
【図１１】
2007219335.tif 000013
【図１２】
2007219335.tif 000014
【図１３】
2007219335.tif 000015
【図１４】
2007219335.tif 000016
【図１５】
2007219335.tif 000017
【図１６】
2007219335.tif 000018
【図１７】
2007219335.tif 000019
【図１８】
2007219335.tif 000020
【手続補正書】
【提出日】平成18年4月21日(2006.4.21)
【手続補正１】
【補正対象書類名】特許請求の範囲
【補正対象項目名】請求項１５
【補正方法】変更
【補正の内容】
【請求項１５】
学習者の端末と、この学習者が操作する装置と、通信ネットワークを介して接続し、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、上記学習者の上記教材の理解度を示す判定情報と、を関連付けて記憶するための第３記憶部と、
上記装置の装置ＩＤと、この装置の作動情報ごとの判定情報と、を関連付けて記憶している第４記憶部と、
を備えたサーバにより実行される方法であって、
上記サーバが、
上記学習者が上記装置を操作したときに、この操作に伴う装置の作動情報と、上記学習者の学習者ＩＤと、上記装置の装置ＩＤと、を含む操作情報を、上記装置から受信するステップと、
上記受信した装置ＩＤと作動情報とに関連付けて記憶されている判定情報を上記第４記憶部から読み出すステップと、
上記読み出した判定情報を、上記操作情報に含まれる学習者ＩＤと、上記操作情報に含まれる装置ＩＤに関連付けて上記第２記憶部に記憶されている教材ＩＤと、に関連付けて上記第３記憶部に記憶するステップと、
上記学習者の学習者ＩＤを上記学習者の端末から受信するステップと、
上記受信した学習者ＩＤに関連付けて記憶されている教材ＩＤと判定情報とを上記第３記憶部から読み出して上記学習者の端末に送信するステップと、
を実行することを特徴とする学習成果判定方法。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
学習者の端末と、この学習者が操作する装置と、通信ネットワークを介して接続したサーバであって、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動状況を示す作動情報ごとの判定情報と、を関連付けて記憶している第４記憶部と、
上記学習者が上記装置を操作したときに、この操作に伴う装置の作動情報と、上記学習者の学習者ＩＤと、上記装置の装置ＩＤと、を含む操作情報を、上記装置から受信する手段と、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定する手段と、
上記判定の結果、上記学習者ＩＤと教材ＩＤとが上記第３記憶部に記憶されていると判定されたときにのみ、上記受信した操作情報に含まれる装置ＩＤと作動情報とに関連付けて記憶されている判定情報を上記第４記憶部から読み出す手段と、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶する手段と、
上記学習者の学習者ＩＤに関連付けて記憶されている判定情報を上記第３記憶部から読み出して上記学習者の端末に送信する手段と、
を有してなることを特徴とする学習成果判定サーバ。
【請求項２】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記操作情報に含まれる学習者ＩＤに関連付けて記憶されている上記教材ＩＤと判定情報とを上記第３記憶部から削除する手段と、
をさらに備えた請求項１記載の学習成果判定サーバ。
【請求項３】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を学習者の端末に送信する手段と、
をさらに備えた請求項１記載の学習成果判定サーバ。
【請求項４】
装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を学習者の端末に送信する手段と、
をさらに備えた請求項１記載の学習成果判定サーバ。
【請求項５】
装置はディスプレイを具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を上記装置のディスプレイに表示させる手段と、
をさらに備えた請求項１記載の学習成果判定サーバ。
【請求項６】
装置はディスプレイを具備し、
上記装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を上記装置のディスプレイに表示させる手段と、
をさらに備えた請求項１記載の学習成果判定サーバ。
【請求項７】
装置は報知手段を具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記報知手段を作動させるための報知信号を上記装置に送信する手段と、
をさらに備えた請求項１記載の学習成果判定サーバ。
【請求項８】
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記装置の作動を制御するための作動制御信号を上記装置に送信する手段と、
をさらに備えた請求項１記載の学習成果判定サーバ。
【請求項９】
装置とは別の第２装置と通信ネットワークを介して接続し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記第２装置の作動を制御するための作動制御信号を上記第２装置に送信する手段と、
をさらに備えた請求項１記載の学習成果判定サーバ。
【請求項１０】
装置の操作方法を学習するための教材の理解度の合格基準を示す及第値情報は、この教材の教材ＩＤに関連付けて第５記憶部に記憶されている請求項２乃至９のいずれかに記載の学習成果判定サーバ。
【請求項１１】
装置の操作方法を学習するための教材の理解度の合格基準を示す及第値情報は、この装置の装置ＩＤに関連付けて第５記憶部に記憶されている請求項２乃至９のいずれかに記載の学習成果判定サーバ。
【請求項１２】
検索者の端末と通信ネットワークを介して接続し、
学習者ＩＤを上記検索者の端末から受信する手段と、
上記受信した学習者ＩＤに関連付けて記憶されている教材ＩＤと判定情報とを上記第３記憶部から読み出して上記検索者の端末に送信する手段と、
をさらに備えた請求項１記載の学習成果判定サーバ。
【請求項１３】
学習者の端末と、この学習者が操作する装置と、通信ネットワークを介して接続したコンピュータを、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動状況を示す作動情報ごとの判定情報と、を関連付けて記憶している第４記憶部と、
上記学習者が上記装置を操作したときに、この操作に伴う装置の作動情報と、上記学習者の学習者ＩＤと、上記装置の装置ＩＤと、を含む操作情報を、上記装置から受信する手段と、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定する手段と、
上記判定の結果、上記学習者ＩＤと教材ＩＤとが上記第３記憶部に記憶されていると判定されたときにのみ、上記受信した操作情報に含まれる装置ＩＤと作動情報とに関連付けて記憶されている判定情報を上記第４記憶部から読み出す手段と、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶する手段と、
上記学習者の学習者ＩＤに関連付けて記憶されている教材ＩＤと判定情報とを上記第３記憶部から読み出して上記学習者の端末に送信する手段として機能させることを特徴とする学習成果判定プログラム。
【請求項１４】
学習者の端末と、この学習者が操作する装置と、通信ネットワークを介して接続し、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動情報ごとの判定情報と、を関連付けて記憶している第４記憶部と、
を備えたサーバにより実行される方法であって、
上記サーバが、
上記学習者が上記装置を操作したときに、この操作に伴う装置の作動情報と、上記学習者の学習者ＩＤと、上記装置の装置ＩＤと、を含む操作情報を、上記装置から受信するステップと、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定するステップと、
上記判定の結果、上記学習者ＩＤと教材ＩＤとが上記第３記憶部に記憶されていると判定されたときにのみ、上記受信した装置ＩＤと作動情報とに関連付けて記憶されている判定情報を上記第４記憶部から読み出すステップと、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶するステップと、
上記学習者の学習者ＩＤを上記学習者の端末から受信するステップと、
上記受信した学習者ＩＤに関連付けて記憶されている判定情報を上記第３記憶部から読み出して上記学習者の端末に送信するステップと、
を実行することを特徴とする学習成果判定方法。
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
学習者の端末と、この学習者が操作する装置と、通信ネットワークを介して接続したサーバであって、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動状況を示す作動情報ごとの判定情報と、を関連付けて記憶している第４記憶部と、
上記学習者が上記装置を操作したときに、この操作に伴う装置の作動情報と、上記学習者の学習者ＩＤと、上記装置の装置ＩＤと、を含む操作情報を、上記装置から受信する手段と、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定する手段と、
上記判定の結果、上記受信した操作情報に含まれる学習者ＩＤとこの操作情報に含まれる装置ＩＤに関連付けて上記第２記憶部に記憶されている教材ＩＤとが上記第３記憶部に関連付けて記憶されていると判定されたときにのみ、上記受信した操作情報に含まれる装置ＩＤと作動情報とに関連付けて記憶されている判定情報を上記第４記憶部から読み出す手段と、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶する手段と、
上記学習者の学習者ＩＤに関連付けて記憶されている判定情報を上記第３記憶部から読み出して上記学習者の端末に送信する手段と、
を有してなることを特徴とする学習成果判定サーバ。
【請求項２】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記操作情報に含まれる学習者ＩＤに関連付けて記憶されている上記教材ＩＤと判定情報とを上記第３記憶部から削除する手段と、
をさらに備えた請求項１記載の学習成果判定サーバ。
【請求項３】
装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を学習者の端末に送信する手段と、
をさらに備えた請求項１記載の学習成果判定サーバ。
【請求項４】
装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を学習者の端末に送信する手段と、
をさらに備えた請求項１記載の学習成果判定サーバ。
【請求項５】
装置はディスプレイを具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて第１記憶部に記憶されている教材を上記装置のディスプレイに表示させる手段と、
をさらに備えた請求項１記載の学習成果判定サーバ。
【請求項６】
装置はディスプレイを具備し、
上記装置の操作方法を学習するための教材の理解度の合格基準を示す及第値情報を記憶している第５記憶部と、
上記教材の教材ＩＤと、この教材に関連した演習問題と、を関連付けて記憶している第６記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記教材ＩＤに関連付けて上記第６記憶部に記憶されている演習問題を上記装置のディスプレイに表示させる手段と、
をさらに備えた請求項１記載の学習成果判定サーバ。
【請求項７】
装置は報知手段を具備し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記報知手段を作動させるための報知信号を上記装置に送信する手段と、
をさらに備えた請求項１記載の学習成果判定サーバ。
【請求項８】
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記装置の作動を制御するための作動制御信号を上記装置に送信する手段と、
をさらに備えた請求項１記載の学習成果判定サーバ。
【請求項９】
装置とは別の第２装置と通信ネットワークを介して接続し、
上記装置の操作方法を学習するための教材の理解度の合格基準を示す及第値情報を記憶している第５記憶部と、
上記装置から操作情報を受信したとき、この操作情報に含まれる学習者ＩＤと、この操作情報に含まれる装置ＩＤに関連付けて第２記憶部に記憶されている教材ＩＤと、に関連付けて記憶されている判定情報を第３記憶部から読み出して、この判定情報と上記第５記憶部に記憶されている及第値情報とを比較する手段と、
上記比較の結果、上記判定情報が上記及第値情報を満たしていないと判定されたとき、上記第２装置の作動を制御するための作動制御信号を上記第２装置に送信する手段と、
をさらに備えた請求項１記載の学習成果判定サーバ。
【請求項１０】
装置の操作方法を学習するための教材の理解度の合格基準を示す及第値情報は、この教材の教材ＩＤに関連付けて第５記憶部に記憶されている請求項２乃至９のいずれかに記載の学習成果判定サーバ。
【請求項１１】
装置の操作方法を学習するための教材の理解度の合格基準を示す及第値情報は、この装置の装置ＩＤに関連付けて第５記憶部に記憶されている請求項２乃至９のいずれかに記載の学習成果判定サーバ。
【請求項１２】
検索者の端末と通信ネットワークを介して接続し、
学習者ＩＤを上記検索者の端末から受信する手段と、
上記受信した学習者ＩＤに関連付けて記憶されている教材ＩＤと判定情報とを上記第３記憶部から読み出して上記検索者の端末に送信する手段と、
をさらに備えた請求項１記載の学習成果判定サーバ。
【請求項１３】
学習者の端末と、この学習者が操作する装置と、通信ネットワークを介して接続したコンピュータを、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動状況を示す作動情報ごとの判定情報と、を関連付けて記憶している第４記憶部と、
上記学習者が上記装置を操作したときに、この操作に伴う装置の作動情報と、上記学習者の学習者ＩＤと、上記装置の装置ＩＤと、を含む操作情報を、上記装置から受信する手段と、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定する手段と、
上記判定の結果、上記受信した操作情報に含まれる学習者ＩＤとこの操作情報に含まれる装置ＩＤに関連付けて上記第２記憶部に記憶されている教材ＩＤとが上記第３記憶部に関連付けて記憶されていると判定されたときにのみ、上記受信した操作情報に含まれる装置ＩＤと作動情報とに関連付けて記憶されている判定情報を上記第４記憶部から読み出す手段と、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶する手段と、
上記学習者の学習者ＩＤに関連付けて記憶されている教材ＩＤと判定情報とを上記第３記憶部から読み出して上記学習者の端末に送信する手段として機能させることを特徴とする学習成果判定プログラム。
【請求項１４】
学習者の端末と、この学習者が操作する装置と、通信ネットワークを介して接続し、
上記装置の操作方法を学習するための教材と、この教材を特定する教材ＩＤと、を関連付けて記憶している第１記憶部と、
上記装置を特定する装置ＩＤと、上記教材の教材ＩＤと、を関連付けて記憶している第２記憶部と、
上記第１記憶部から教材を読み出して上記学習者の端末に送信する手段と、
上記送信した教材の教材ＩＤと、上記学習者を特定する学習者ＩＤと、を関連付けて記憶するための第３記憶部と、
上記装置の装置ＩＤと、この装置の作動情報ごとの判定情報と、を関連付けて記憶している第４記憶部と、
を備えたサーバにより実行される方法であって、
上記サーバが、
上記学習者が上記装置を操作したときに、この操作に伴う装置の作動情報と、上記学習者の学習者ＩＤと、上記装置の装置ＩＤと、を含む操作情報を、上記装置から受信するステップと、
上記受信した操作情報に含まれる学習者ＩＤとこの操作情報に含まれる装置ＩＤに関連付けて上記第２記憶部に記憶されている教材ＩＤとが上記第３記憶部に関連付けて記憶されているか否かを判定するステップと、
上記判定の結果、上記受信した操作情報に含まれる学習者ＩＤとこの操作情報に含まれる装置ＩＤに関連付けて上記第２記憶部に記憶されている教材ＩＤとが上記第３記憶部に関連付けて記憶されていると判定されたときにのみ、上記受信した装置ＩＤと作動情報とに関連付けて記憶されている判定情報を上記第４記憶部から読み出すステップと、
上記読み出した判定情報を上記学習者の上記教材の理解度として、上記操作情報に含まれる学習者ＩＤと、上記操作情報に含まれる装置ＩＤに関連付けて上記第２記憶部に記憶されている教材ＩＤと、に関連付けて上記第３記憶部に記憶するステップと、
上記学習者の学習者ＩＤを上記学習者の端末から受信するステップと、
上記受信した学習者ＩＤに関連付けて記憶されている判定情報を上記第３記憶部から読み出して上記学習者の端末に送信するステップと、
を実行することを特徴とする学習成果判定方法。